(57)【特許請求の範囲】
【請求項１】
受信装置の設置位置を示す受信装置設置位置情報と放送波により伝送される情報を記憶する記憶部と、前記情報を用いて判定処理を行う判定部を有し、放送波を受信する受信装置であって、
前記放送波により伝送される情報である、対象地域識別情報と変更後周波数情報が対応付けて前記記憶部に記憶されており、
前記判定部は、受信不能の際、前記変更後周波数情報と選局している周波数が一致しているか及び前記対象地域識別情報と前記受信装置設置位置情報が不一致である事を判定し、
前記判定部の判定結果にもとづき、受信不能の理由を報知する事を特徴とする受信装置。
【発明の詳細な説明】
【技術分野】
【０００１】
本発明は、デジタル放送受信装置、より詳細には、放送周波数変更に対応した地上デジタル受信装置およびデジタル方式のケーブル放送受信装置（以下、両者を総称し、受信装置）に関する。
【背景技術】
【０００２】
国内の地上テレビジョン放送は２０１１年７月にデジタル放送へ完全移行する。その後、周波数リパッキングというデジタル放送の放送周波数再配置が行われる。この実施時期に合わせ、従来の周波数での放送を終了し、新たな周波数での放送開始を知らせる宣伝などを、放送を通じて視聴者に知らせる事が予想される。また、放送局から受信装置側に対し、再配置される周波数へ周波数追従するための情報が送出される。これによって視聴者の手を煩わす事なく、受信装置本体が周波数リパッキングに対応することになる。
【０００３】
受信装置は、本来、設置された地域向けの放送を受信しているが、設置地域外の放送であっても、その放送波が届いている限り、設置地域を越えた受信（以下、越境受信と称する）をすることができる。この越境受信をしている場合でも、受信装置は、周波数リパッキングに対応し、周波数追従するための情報を取得することができる。
【０００４】
周波数リパッキングに対応する受信装置の技術として、例えば非特許文献１に、放送局より送出される情報を取得した受信装置が対象地域、変更開始年月日、変更作業期間などを視聴者へメッセージ表示する事が開示されている。
【先行技術文献】
【非特許文献】
【０００５】
【非特許文献１】ＡＲＩＢ  ＴＲ−Ｂ１４  第一分冊  １／２  ４．０版（平成２１年１２月１６日改定）
【発明の概要】
【発明が解決しようとする課題】
【０００６】
しかしながら、非特許文献１は、正常受信における周波数リパッキング対応について開示するものであり、受信装置が越境受信を行っている場合、周波数変更によって発生する受信障害の課題について何ら考慮したものではない。
【０００７】
すなわち、受信装置が周波数リパッキング対応後に越境受信を行った場合、下記のような受信障害の発生が予想される。
第１に、周波数に依存し、直接届く電波と大地を反射して届く電波の干渉状況変化
第２に、受信側アンテナの周波数不一致
尚、上記第２の受信障害は、例えば、５２ｃｈ（約７０７ＭＨｚ）から１３ｃｈ（約４７３ＭＨｚ）への放送周波数変更の場合、前記５２ｃｈなど高い周波数用に調整されたアンテナで前記１３ｃｈなどの低い周波数を受信しようとすることによる受信状態の劣化などである。
【０００８】
上述の何れの要因でも、受信装置は受信不能状態に陥りやすく、視聴者とって、越境受信していたために発生した受信不能状態を、周波数リパッキングと関連づけて理解することは難しい。
【０００９】
そこで、本発明は、上記の問題に鑑みてなされたものであり、その目的は周波数リパッキング実施以降に発生する受信障害の内、越境受信によるものを判定し視聴者に報知する事で、視聴者は受信障害の理由を把握でき、受信装置の故障や放送事故と区別することが出来る。
【課題を解決するための手段】
【００１０】
上述の課題を解決するために、本発明の受信装置は、受信装置の設置位置を示す受信装置設置位置情報と放送波により伝送される情報を記憶する記憶部と、前記情報を用いて判定処理を行う判定部を有し、放送波を受信する受信装置であって、前記放送波により伝送される情報である、対象地域識別情報と変更後周波数情報が対応付けて前記記憶部に記憶されており、前記判定部は、受信不能の際、前記変更後周波数情報と選局している周波数が一致しているか及び前記対象地域識別情報と前記受信装置設置位置情報が不一致である事を判定し、前記判定部の判定結果にもとづき、受信不能の理由を報知する事を特徴とする。
【発明の効果】
【００１１】
周波数リパッキング実施以降に発生する受信障害の内、越境受信によるものを判定し視聴者に情報提供する事で、視聴者は受信できない理由を把握でき、受信装置の故障や放送事故と区別することが出来る。
【図面の簡単な説明】
【００１２】
【図１】本発明に係る受信装置のブロック図である。
【図２】地域毎に設定されたリモコン選局ボタンと周波数の対応付けを示すテーブルである。
【図３】周波数と選局ボタンを対応付けたテーブルである。
【図４】放送周波数変更情報のダウンロードによる受信周波数とリモコンボタンの対応付け処理のフローチャートである。
【図５】本発明に係る放送周波数と対象地域識別情報を対応付けしたテーブルである。
【図６】本発明に係る受信装置の選局操作から受信状態をメッセージ表示する処理のフローチャートである。
【発明を実施するための形態】
【実施例】
【００１３】
実施例について以下に述べる。図１は、本発明の一実施形態に係る受信装置のブロック図である。この受信装置は、ＯＦＤＭチューナ１と、ＤＥＭＵＸ（ＤｅＭｕｌｔｉｐｌｅｘｅｒ）２と、ＭＰＥＧデコーダ３と、ビデオ処理部４と、表示部５と、受信装置全体の制御部や判定部として機能するＣＰＵ６と、記憶部として揮発性メモリ７および不揮発性メモリ８と、赤外線受信部９を備えている。
【００１４】
図１をもとに、選局操作から映像表示までの流れを説明する。赤外線受信部９は、リモコン１０の選局ボタン操作による赤外線信号を受信する。この赤外線信号には、選局ボタンの番号を示す情報が含まれる。ＣＰＵ６は、赤外線受光部から選局ボタンの番号を示す情報を受け取り、不揮発性メモリ８に記憶された選局ボタンの番号に対応する周波数に照らし対応する周波数を特定する。ＣＰＵ６は、特定された周波数をＯＦＤＭチューナ１に設定し、受信状態を確認する。ＯＦＤＭチューナ１は、放送信号が受信されると、ＣＰＵ６へ受信成功を伝えると伴に受信信号を復調しＴＳ（トランスポート・ストリーム）信号としてＤＥＭＵＸ２へ入力する。ＤＥＭＵＸ２は、ＴＳ信号をＭＰＥＧ形式のデータにデコードしＭＰＥＧデコーダ３に出力する。ＭＰＥＧデコーダ３は、ＭＰＥＧ形式の圧縮データをビデオ信号にデコードする。ビデオ処理部４は、ビデオ信号を画面表示可能な信号に変換し、表示部５に映像が表示される。尚、ビデオ処理部４は、必要に応じＣＰＵ６からの指示でＯＳＤ（Ｏｎ  Ｓｃｒｅｅｎ  Ｄｉｓｐｌｅｙ）を生成しビデオ信号と合成する事が出来る。
【００１５】
また、ＤＥＭＵＸ２は、ＴＳ信号に含まれる映像以外の情報の取り出しも行う。例えば、ＮＩＴ（Ｎｅｔｗｏｒｋ  Ｉｎｆｏｒｍａｔｉｏｎ  Ｔａｂｌｅ）や、ＳＤＴＴ（Ｓｏｆｔｗａｒｅ  Ｄｏｗｎｌｏａｄ  Ｔｒｉｇｇｅｒ  Ｔａｂｌｅ）、エンジニアリングサービスなどの情報である。ここで、ＮＩＴには、その放送が対象とする地域の地域識別情報が含まれている。また、ＳＤＴＴはエンジニアリングサービスに先行し送出され、視聴者に対する周波数リパッキング実施の事前通知を目的としたテキスト情報の他、周波数リパッキングの対象地域を示す対象地域識別情報や後続送出のエンジニアリングサービスの送出日時情報などが含まれている。更に、エンジニアリングサービスには放送周波数変更情報や放送周波数変更日情報などが含まれている。更にまた、前記放送周波数変更情報は、変更前周波数情報と変更後周波数情報を含んでいる。
【００１６】
通常、受信装置は、初回起動時に、視聴者によって受信機が設置された位置の情報（以下、受信装置設置位置情報）を設定する。前記受信装置設置位置情報の設定は、受信装置が表示する都道府県名一覧から、視聴者によって何れかの都道府県名が選択され決定する。続いて、受信装置は、受信可能な周波数を保持するために周波数サーチを行う。受信装置は、工場出荷時に、地域毎に設定されたリモコン選局ボタンと周波数の対応付けを示すテーブル（以下、テーブル１００）を不揮発性メモリ８に記憶している。そして、受信装置は前記受信装置設置位置情報に該当する都道府県名から、該当するリモコン選局ボタンと周波数の対応情報を特定する。その上で、周波数サーチによって受信可能だった周波数を前記特定された対応情報に照らし対応するリモコンの選局ボタンを対応付ける。対応付けたリモコン選局ボタンと周波数の組み合わせでテーブル１００とは別のテーブル（以下、テーブル２００）を構成し不揮発性メモリ８に記憶する。テーブル１００の例を図２に、テーブル２００の例を図３に示す。
【００１７】
図２は、地域毎に設定されたリモコン選局ボタンと周波数の対応付けを示すテーブルであり、上述のテーブル１００を示したものである。
【００１８】
図３は、周波数と選局ボタンを対応付けたテーブルであり、上述のテーブル２００を示したものである。
【００１９】
放送周波数変更情報のダウンロードによる受信周波数とリモコンボタンの対応付け処理について、図４と図５をもとに、ステップ（以下、ステップをＳと略す）毎に説明する。
【００２０】
図４は、放送周波数変更情報のダウンロードによる受信周波数とリモコンボタンの対応付け処理のフローチャートである。また、図５は、本発明に係る放送周波数と対象地域識別情報を対応付けしたテーブル（以下、テーブル３００）である。
【００２１】
ＣＰＵ６は、Ｓ１１において、放送局から逐次送信されるＳＤＴＴ（Ｓｏｆｔｗａｒｅ  Ｄｏｗｎｌｏａｄ  Ｔｒｉｇｇｅｒ  Ｔａｂｌｅ）に含まれるバージョン番号に基づき、ＳＤＴＴのバージョンが変更されたか否かを判断する。ここで、バージョン番号は、ある地域で放送局が開局するなどして放送周波数の変更がある場合に変更されるものとする。これらバージョンが変更された場合、Ｓ１２へ移行する。バージョンが変更されていない場合、以後送信されるＳＤＴＴについてＳ１１の処理を繰り返す。尚、放送周波数変更情報の伝送はＳＤＴＴ単独で成されるものではなく、同様に放送信号によって送出されるエンジニアリングサービスのデータ取得によって達成されるものとし、ＳＤＴＴには該エンジニアリングサービスのデータを特定する情報と送出日時情報が含まれている。
【００２２】
更に、ＣＰＵ６は、Ｓ１２において、ＳＤＴＴが含む対象地域識別情報が受信装置設置位置情報と一致するか、もしくは近隣地域（例えば、受信装置が千葉県に設置の場合、東京都や神奈川県など）の場合、ＹＥＳと判定し、Ｓ１３へ移行する。それ以外はＮＯと判定し、再びＳＤＴＴのバージョン変更を監視するためＳ１１へ移行する。
【００２３】
そして、ＣＰＵ６は、Ｓ１３において、ＳＤＴＴに含まれる対象地域識別情報とエンジニアリングサービスのデータ送出日時情報と放送周波数変更日情報を取得して不揮発性メモリ８に記憶し、Ｓ１４へ移行する。
【００２４】
続いて、ＣＰＵ６は、Ｓ１４において、メモリ８に記憶されたエンジニアリングサービスのデータ送出日時情報の日時に該データをダウンロードし揮発性メモリ７に記憶し、Ｓ１５へ移行する。
【００２５】
そして、ＣＰＵ６は、Ｓ１５において、揮発性メモリ７に記憶されたエンジニアリングサービスのデータから変更前周波数情報を取得し、テーブル２００に照らし選局ボタンを抽出して、変更後周波数情報と選局ボタンを対応付けて新たなテーブル２００を構成し、不揮発性メモリ８に記憶し、Ｓ１６へ移行する。尚、新たなテーブル２００は、この時点で選局処理に際し無効であり、周波数リパッキング実施日時が到来するまで従来のテーブル２００が使用される。
【００２６】
更に、ＣＰＵ６は、Ｓ１６において、不揮発性メモリ８に記憶されている対象地域識別情報と変更後周波数情報を対応付けして新たなテーブル３００を不揮発性メモリ８に記憶し、Ｓ１７へ移行する。尚、この時点で新たなテーブル３００は選局処理に際し無効であり、周波数リパッキング実施日時が到来するまで従来のテーブル３００が有効である。
【００２７】
また更に、ＣＰＵ６は、Ｓ１７において、不揮発性メモリ８に記憶した放送周波数変更日情報の日付が到来したかを判定し、到来した場合Ｓ１８へ移行する。未到来の場合、Ｓ１７の処理を繰り返す。
【００２８】
そして、ＣＰＵ６は、Ｓ１８において、従来のテーブル２００とテーブル３００を消去し、新たなテーブル２００とテーブル３００を有効化し、再びＳＤＴＴのバージョン変更を監視するため、Ｓ１１へ移行する。以上で受信装置の周波数変更を完了する。
【００２９】
図６は本発明に係る受信装置の選局操作から受信状態をメッセージ表示する処理のフローチャートである。
【００３０】
図６をもとに、選局操作から受信状態をメッセージ表示する処理をＳ毎に説明する。本実施例では、従来、受信可能だった放送信号が、周波数リパッキング実施日時を境に、放送周波数変更に追従したものの電波伝搬状況の変化から受信不能に陥った状態を想定している。
【００３１】
まず、ＣＰＵ６は、Ｓ２１において、選局操作を実行してＯＦＤＭチューナ１に周波数を設定し、Ｓ２２へ移行する。
【００３２】
続いて、ＣＰＵ６は、Ｓ２２において、ＯＦＤＭチューナ１からの受信状態を示す信号を監視し、「受信不能」の場合、Ｓ２３へ移行する。「受信成功」の場合、Ｓ２７へ移行する。
【００３３】
更に、ＣＰＵ６は、Ｓ２３において、Ｓ２１に設定した周波数をテーブル３００に照らし、対応する対象地域識別情報を抽出し、Ｓ２４へ移行する。
【００３４】
ＣＰＵ６は、Ｓ２４において、Ｓ２３で抽出した対象地域識別情報と受信装置設置位置情報を比較して、地域識別情報が一致しない場合（越境受信）はＹＥＳと判定し、Ｓ２５へ移行する。一致する場合（域内受信）はＮＯと判定し、Ｓ２６へ移行する。
【００３５】
更にまた、ＣＰＵ６は、Ｓ２５において、ビデオ処理部４で「この放送は受信装置の置かれた地域と対象地域が異なるため受信不能です」などのＯＳＤを生成し、表示部５でメッセージ表示して、Ｓ２２へ戻る。
【００３６】
ＣＰＵ６は、Ｓ２６において、ビデオ処理部４で「受信不能です」などのＯＳＤを生成し、表示部５でメッセージ表示（「この放送は受信装置の置かれた地域を対象としていますが受信不能です」などと表示しても良い）して、Ｓ２７へ移行する。
【００３７】
ＣＰＵ６は、Ｓ２７において、受信状態の改善をチェックし、改善の場合はＳ２８へ移行、改善しない場合はＳ２７の処理を繰り返す。
【００３８】
最後に、ＣＰＵ６は、Ｓ２８において、Ｓ２５やＳ２６で表示したＯＳＤを非表示にし、Ｓ２２へ戻る。以上で、越境受信時の受信不能メッセージ表示処理が完了する。
【産業上の利用可能性】
【００３９】
本発明に係る受信装置は、地上デジタル放送受信装置全般およびデジタル方式のケーブル放送受信装置全般に広く適用することができる。
【符号の説明】
【００４０】
１  ＯＦＤＭチューナ
２  ＤＥＭＵＸ
３  ＭＰＥＧデコーダ
４  ビデオ処理部
５  表示部
６  ＣＰＵ
７  揮発性メモリ
８  不揮発性メモリ
９  赤外線受信部
１０  リモコン
１００、２００、３００  テーブル
【図１】
0005537327.tif 000002
【図２】
0005537327.tif 000003
【図３】
0005537327.tif 000004
【図４】
0005537327.tif 000005
【図５】
0005537327.tif 000006
【図６】
0005537327.tif 000007